(57)【特許請求の範囲】
【請求項１】
複数の医用画像を出力する医用画像出力制御装置において、
前記複数の医用画像は、動画を構成する複数のフレーム画像であり、
前記複数の医用画像に基づく動画が表示される際に、前記複数のフレーム画像に付帯された付帯情報のうち、一部のフレーム画像に付帯された付帯情報の全てを非表示とする制御手段を備える医用画像出力制御装置。
【請求項２】
前記制御手段は、連続するフレーム画像であり、前記付帯情報が付与されたフレームの連続する数が１０以下のフレーム画像に付帯された付帯情報を非表示とする、請求項１記載の医用画像出力制御装置。
【請求項３】
前記複数の医用画像の少なくともいずれかに前記付帯情報を付帯させる入力手段を備え、
前記制御手段は、前記医用画像に付帯された前記付帯情報のうち、前記入力手段によって付帯された前記付帯情報を非表示とする、請求項１又は請求項２に記載の医用画像出力制御装置。
【請求項４】
前記制御手段は、全ての前記医用画像に共通して付帯された前記付帯情報を非表示としない、請求項１から請求項３のいずれか一項に記載の医用画像出力制御装置。
【請求項５】
前記複数の医用画像と前記複数の医用画像に付帯された付帯情報を取得する取得手段を備え、
前記制御手段は、前記複数の医用画像に付帯された付帯情報のうち、前記取得手段が取得した前記付帯情報を非表示としない、請求項１から請求項４のいずれか一項に記載の医用画像出力制御装置。
【請求項６】
前記入力手段によって前記医用画像に付帯された前記付帯情報の中から、任意の前記付帯情報を選択する選択手段、を備え、
前記制御手段は、前記入力手段によって入力された前記付帯情報のうち、前記選択手段が選択した前記付帯情報を非表示とする、請求項３に記載の医用画像出力制御装置。
【請求項７】
前記制御手段は、前記複数の医用画像を、
当該医用画像に付帯された前記付帯情報が非表示とされた動画を表示させる、
又は前記医用画像に付帯された前記付帯情報が非表示とされた動画ファイルを生成して他の装置へ送信する、請求項１から請求項６のいずれか一項に記載の医用画像出力制御装置。
【請求項８】
前記制御手段は、前記複数の医用画像のうち、
単独の前記医用画像を静止画として出力する場合には、当該単独の前記医用画像に付帯された前記付帯情報を前記静止画に表示させ、
前記単独の前記医用画像を含む複数の前記医用画像を動画として出力する場合には、前記付帯情報を非表示とする、請求項１から請求項７のいずれか一項に記載の医用画像出力制御装置。
【請求項９】
動画を構成する複数のフレーム画像である複数の医用画像を出力する医用画像出力制御装置が備える制御手段に、
前記複数の医用画像に基づく動画が表示される際に、前記複数のフレーム画像に付帯された付帯情報のうち、一部のフレーム画像に付帯された付帯情報の全てを非表示とする動画出力制御処理を実行させるプログラム。
【請求項１０】
前記制御手段に、連続するフレーム画像であり、前記付帯情報が付与されたフレームの連続する数が１０以下のフレーム画像に付帯された付帯情報を非表示とする処理を前記動画出力制御処理において実行させる、請求項９に記載のプログラム。
【請求項１１】
前記制御手段に、
前記複数の医用画像の少なくともいずれかに前記付帯情報を付帯させる入力処理を実行させ、
前記医用画像に付帯された前記付帯情報のうち、前記入力処理において付帯された前記付帯情報を非表示とする処理を前記動画出力制御処理において実行させる、請求項９又は請求項１０に記載のプログラム。
【請求項１２】
前記制御手段に、全ての前記医用画像に共通して付帯された前記付帯情報を非表示としない処理を前記動画出力制御処理において実行させる、請求項９から請求項１１のいずれか一項に記載のプログラム。
【請求項１３】
前記制御手段に、
前記複数の医用画像と前記複数の医用画像に付帯された付帯情報を取得する取得処理を実行させ、
前記複数の医用画像に付帯された付帯情報のうち、前記取得処理において取得した前記付帯情報を非表示としない処理を前記動画出力制御処理において実行させる請求項９から請求項１２のいずれか一項に記載のプログラム。
【請求項１４】
前記制御手段に、
前記入力処理において前記医用画像に付帯された前記付帯情報の中から、任意の前記付帯情報を選択する選択処理を実行させ、
前記入力処理において入力された前記付帯情報のうち、前記選択処理において選択した前記付帯情報を非表示とする処理を前記動画出力制御処理において実行させる、請求項１１に記載のプログラム。
【請求項１５】
前記制御手段に、前記複数の医用画像を、
当該医用画像に付帯された前記付帯情報が非表示とされた動画を表示させる処理、
又は前記医用画像に付帯された前記付帯情報が非表示とされた動画ファイルを生成して他の装置へ送信する処理、を前記動画出力制御処理において実行させる、請求項９から請求項１４のいずれか一項に記載のプログラム。
【請求項１６】
前記制御手段に、前記複数の医用画像のうち、
単独の前記医用画像を静止画として出力する場合には、当該単独の前記医用画像に付帯された前記付帯情報を前記静止画に表示させる処理を実行させ、
前記単独の前記医用画像を含む複数の前記医用画像を動画として出力する場合には、前記付帯情報を非表示とする処理を実行させる、請求項９から請求項１５のいずれか一項に記載のプログラム。
【請求項１７】
動画を構成する複数のフレーム画像である複数の医用画像を表示する医用画像表示システムにおいて、
前記複数の医用画像を生成する画像生成手段と、
前記複数の医用画像に基づく動画を表示する表示手段と、
前記表示手段が動画を表示する際に、前記複数のフレーム画像に付帯された付帯情報のうち、一部のフレーム画像に付帯された付帯情報の全てを非表示とする制御手段と、を備える医用画像表示システム。
【請求項１８】
動画を構成する複数のフレーム画像である複数の医用画像を表示する医用画像出力制御装置を用いた医用画像表示方法において、
前記医用画像出力制御装置が備える制御手段が、前記複数の医用画像に基づく動画が表示される際に、前記複数のフレーム画像に付帯された付帯情報のうち、一部のフレーム画像に付帯された付帯情報の全てを非表示とする工程を含む医用画像表示方法。
【発明の詳細な説明】
【技術分野】
【０００１】
本発明は、医用画像出力制御装置、プログラム、医用画像表示システム及び医用画像表示方法に関する。
【背景技術】
【０００２】
従来、静止画の医用画像を表示する装置において、医用画像に付帯情報を付帯させたり、医用画像に付帯されていた付帯情報を後から削除したりする技術が知られている。
付帯された付帯情報は、医用画像が表示されるときに、例えば、医師が着目した関心領域（ＲＯＩ）の位置を指し示すアノテーション、注釈等の形で、医用画像と一緒に表示される。
また、近年では、動画の医用画像に付帯情報を付すことも行われている（例えば、特許文献１参照）。
【先行技術文献】
【特許文献】
【０００３】
【特許文献１】特開２０１８−１８７３１０号公報
【発明の概要】
【発明が解決しようとする課題】
【０００４】
ところで、医用画像が動画を構成するフレーム画像である場合、こうした付帯情報が複数枚連続するフレーム画像の一部にのみ付帯されることがある。そのような一部のフレーム画像に付帯画像が付帯された動画をそのまま再生すると、画像上に付帯情報がちらついてしまう（付帯情報が一瞬だけ表示される）。このちらつきは、場合によっては、医師等が読影を行う際の妨げとなってしまう。
【０００５】
本発明の課題は、動画を再生したときに付帯情報がちらつかないようにすることである。
【課題を解決するための手段】
【０００６】
上記課題を解決するために、本発明に係る医用画像出力制御装置は、
複数の医用画像を出力する医用画像出力制御装置において、
前記複数の医用画像は、動画を構成する複数のフレーム画像であり、
前記複数の医用画像に基づく動画が表示される際に、前記複数のフレーム画像に付帯された付帯情報のうち、一部のフレーム画像に付帯された付帯情報の全てを非表示とする制御手段を備える。
【０００７】
上記課題を解決するために、本発明に係るプログラムは、
動画を構成する複数のフレーム画像である複数の医用画像を出力する医用画像出力制御装置が備える制御手段に、
前記複数の医用画像に基づく動画が表示される際に、前記複数のフレーム画像に付帯された付帯情報のうち、一部のフレーム画像に付帯された付帯情報の全てを非表示とする動画出力制御処理を実行させる。
【０００８】
上記課題を解決するために、本発明に係る医用画像表示システムは、
動画を構成する複数のフレーム画像である複数の医用画像を表示する医用画像表示システムにおいて、
前記複数の医用画像を生成する画像生成手段と、
前記複数の医用画像に基づく動画を表示する表示手段と、
前記表示手段が動画を表示する際に、前記複数のフレーム画像に付帯された付帯情報のうち、一部のフレーム画像に付帯された付帯情報の全てを非表示とする制御手段と、を備える。
【０００９】
上記課題を解決するために、本発明に係る医用画像表示方法は、
動画を構成する複数のフレーム画像である複数の医用画像を表示する医用画像出力制御装置を用いた医用画像表示方法において、
前記医用画像出力制御装置が備える制御手段が、前記複数の医用画像に基づく動画が表示される際に、前記複数のフレーム画像に付帯された付帯情報のうち、一部のフレーム画像に付帯された付帯情報の全てを非表示とする工程を含む。
【発明の効果】
【００１０】
本発明によれば、動画を再生したときに付帯情報がちらつかないようにすることができる。
【図面の簡単な説明】
【００１１】
【図１】本発明の実施形態に係る医用画像表示システムの一例を表すブロック図である。
【図２】同実施形態に係る医用画像表示システムの他の例を表すブロック図である。
【図３】図１の医用画像表示システムが備える医用画像出力制御装置を表すブロック図である。
【図４】図２の医用画像表示システムが備える医用画像出力制御装置を表すブロック図である。
【図５】図３又は図４の医用画像表示システムが表示する表示画面の一例を示す図である。
【図６】図３又は図４の医用画像出力制御装置が実行する動画出力制御処理の流れを示すフローチャートである。
【図７】従来の医用画像を表示する装置、及び図１又は図２の医用画像表示システムが動画として表示する複数の医用画像を示す図である。
【発明を実施するための形態】
【００１２】
以下、本発明の実施の形態について、図面を参照しながら説明する。ただし、本発明の範囲は、以下の実施形態や図面に記載されたものに限定されるものではない。
【００１３】
＜１．医用画像表示システム＞
初めに、本実施形態に係る医用画像表示システムの概略構成の一例について説明する。
図１は医用画像表示システムの一例を表すブロック図、図２は医用画像表示システムの他の例を表すブロック図である。
【００１４】
〔１−１．システム構成例１〕
本実施形態の構成例１に係る医用画像表示システム（以下、システム１００）は、図１に示すように、モダリティー１と、医用画像出力制御装置（以下、出力制御装置２）と、モニター３と、入力装置４と、を備えている。
これらは、通信ネットワークＮを介して互いに通信可能となっている。
なお、システム１００は、図示しない病院情報システム（Hospital Information System：ＨＩＳ）や、放射線科情報システム（Radiology Information System：ＲＩＳ）、画像解析装置等と接続されていてもよい。
【００１５】
（モダリティー）
モダリティー１は、被写体における診断対象部位を撮影し、診断対象部位が写った画像（医用画像）のデジタルデータ（以下、画像データ）を生成するものである。
モダリティー１には、例えば、ＦＰＤ（Flat Panel Detector）装置、ＣＴ（Computed Tomography）装置、ＭＲＩ（Magnetic Resonance Imaging）装置、超音波診断装置等が含まれる。
【００１６】
本実施形態に係るモダリティー１は、静止画撮影による静止画の医用画像の他、動画撮影による動画の医用画像を生成することが可能となっている。
ここで、「動画」とは、複数の静止画を高速で順次表示することにより、その中に写っているものが連続して動いていると見る人に認識させることが可能な画像を指す。
本発明における動画撮影には動態撮影が含まれ、動画には動態画像が含まれる。
動態撮影とは、被写体に対し、Ｘ線等の放射線をパルス状にして所定時間間隔で繰り返し照射するか（パルス照射）、もしくは、低放射線量率にして途切れなく継続して照射する（連続照射）ことで、被写体の動態を示す複数の画像を取得することをいう。
動態画像とは、動態撮影により得られた一連の画像のことをいう。また、動態画像を構成する複数の画像のそれぞれをフレーム画像と呼ぶ。このような動態画像では、人体内に含まれている各種の動的な構造物（例えば肺や心臓等動きのある構造物）の時系列的な変化を捉えることが可能である。
【００１７】
また、モダリティー１は、ＤＩＣＯＭ規格に準拠しており、画像データをＤＩＣＯＭファイル形式で生成するようになっている。
ＤＩＣＯＭファイル形式の画像データは、画像部と、ヘッダー部と、を有している。
画像部には、医用画像の実データが書き込まれる。
ヘッダー部には、各種付帯情報が書き込まれる。
付帯情報は、医用画像に付帯される情報である。すなわち、モダリティー１は、医用画像に付帯情報を付帯させるようになっている。
本実施形態に係る付帯情報には、患者情報、検査情報、シリーズ情報、画像情報、ＧＳＰＳ（Grayscale Softcopy Presentation State）情報、オーバレイ情報等が含まれる。
【００１８】
患者情報には、例えば、患者ＩＤ、患者氏名、生年月日、年齢、性別、身長、体重等が含まれる。
検査情報には、例えば、検査ＩＤ、検査日、検査時刻、検査記述、シリーズ数、画像枚数等が含まれる。
シリーズ情報には、例えば、モダリティー、撮影部位、撮影方法（例えば、撮影方向（スライス方向）、造影剤の有無）、シリーズ記述、側性、シリーズ番号、画像枚数、ＡＥタイトル等が含まれる。
画像情報には、例えば、画像番号、患者方向、画像タイプ、ピクセル構造、縦幅、横幅、管電圧、ｍＡ、管電流、画素間隔、スライス厚、スライス位置、フレーム番号、フレーム数、ＴＲ、ＴＥ、ＷＷ／ＷＣ等が含まれる。
【００１９】
本実施形態に係るモダリティー１を含む多くのモダリティーは、医用画像が動画である場合、全てのフレーム画像に付帯画像を付帯させるようになっているのが一般的であるが、モダリティー１は、一部のフレーム画像にのみ付帯画像を付帯させるようになっていてもよい。
【００２０】
また、本実施形態に係るモダリティー１には、各種撮影条件を設定したり、モダリティー１の動作を制御したりする図示しないコンソールが接続されていてもよい。
また、モダリティー１は、撮影室内に据え付けられたものであってもよいし、移動可能に構成されたものとなっていてもよい。
【００２１】
（医用画像出力制御装置）
出力制御装置２は、ＰＣや専用の装置、クラウド上の仮想サーバー等で構成されている。
また、出力制御装置２は、モダリティー１が生成した画像データを蓄積することが可能となっている。
また、出力制御装置２は、画像保存通信システム（Picture Archiving and Communication Systems：ＰＡＣＳ）の機能を備えており、複数の画像データを格納している。
また、本実施形態に係る出力制御装置２は、複数の画像データをデータベースの形で格納している。
また、出力制御装置２は、複数の医用画像を出力することが可能となっている。
本実施形態に係る出力制御装置２は、後述するモニター３へ画像信号を送信することにより出力を行うようになっている。
この出力制御装置２の詳細については後述する。
【００２２】
（モニター）
モニター３は、例えばＬＣＤ（Liquid Crystal Display）やＥＬＤ（Electronic Luminescent Display）、ＣＲＴ（Cathode Ray Tube）等で構成されている。
そして、モニター３は、出力制御装置２から受信した画像信号に応じた医用画像等を表示するようになっている。
【００２３】
（入力装置）
入力装置４は、カーソルキーや、数字入力キー、各種機能キー等を備えたキーボードや、マウス等のポインティングデバイス、モニター３の表面に積層されたタッチパネル等によってユーザーが操作可能に構成されている。
そして、入力装置４は、ユーザーによってなされた操作に応じた制御信号を出力制御装置２へ出力するようになっている。
【００２４】
（医用画像表示システムを用いた診断の流れ）
このように構成された本実施形態に係るシステム１００を用いた診断は、以下のよう流れで行われる。
まず、ユーザー（技師等）がモダリティー１を用いて被検者の診断対象部位を動画撮影又は静止画撮影すると、モダリティー１は、診断対象部位が写った医用画像（動画又は静止画）を生成する。
モダリティー１は、画像データを生成すると、その画像データを出力制御装置２へ送信する。
出力制御装置２は、モダリティー１から受信した画像データを蓄積する。
また、出力制御装置２は、蓄積している画像データの中から、ユーザー（医師等）からの要求があった画像データの表示制御を行い、対象の医用画像の画像信号をモニター３へ送信する。
送信する医用画像が動画である場合には、上記表示制御の中で動画出力制御処理（詳細後述）を実行する。
モニター３は、出力制御装置２から受信した画像信号に応じた医用画像を表示する。
医師は、モニター３に表示された医用画像に基づいて被検者の診断を行う。
【００２５】
〔１−２．システム構成例２〕
本実施形態の構成例２に係るシステム１００Ａは、図２に示すように、上記システム１００と同様のモダリティー１と、画像保存通信システム（Picture Archiving and Communication Systems、以下ＰＡＣＳ２Ａ）と、医用画像出力制御装置（以下、出力制御装置３Ａ）と、を備えている。
これらは、通信ネットワークＮを介して互いに通信可能となっている。
【００２６】
（ＰＡＣＳ）
ＰＡＣＳ２Ａは、上記システム１００の出力制御装置２から、医用画像の表示制御機能を省いたものとなっている。
【００２７】
（医用画像出力制御装置）
出力制御装置３Ａは、上記システム１００のモニター３と入力装置４とを合わせたものに、医用画像の表示制御機能を持たせたものとなっている。
【００２８】
（医用画像表示システムを用いた診断の流れ）
このように構成された本実施形態に係るシステム１００Ａを用いた診断は、以下のよう流れで行われる。
まず、ユーザー（技師等）がモダリティー１を用いて被検者の診断対象部位を動画撮影又は静止画撮影すると、モダリティー１は、診断対象部位が写った医用画像（動画又は静止画）を生成する。
モダリティー１は、画像データを生成すると、その画像データをＰＡＣＳ２Ａへ送信する。
ＰＡＣＳ２Ａは、モダリティー１から受信した画像データを蓄積する。
また、ＰＡＣＳ２Ａは、蓄積している画像データの中から、ユーザー（医師等）からの要求があった画像データを出力制御装置３Ａへ送信する。
出力制御装置３Ａは、ＰＡＣＳ２Ａから受信した画像データの表示制御を行い、対象の医用画像を表示する。
送信する医用画像が動画である場合には、上記表示制御の中で動画出力制御処理（詳細後述）を実行する。
医師は、出力制御装置３Ａに表示された医用画像に基づいて被検者の診断を行う。
【００２９】
＜２．医用画像出力制御装置の詳細＞
次に、上記システム１００，１００Ａが備える出力制御装置２，３Ａの具体的構成及び動作について説明する。
図３は上記システム１００に係る出力制御装置２を表すブロック図、図４は上記システム１００Ａに係る出力制御装置３Ａを表すブロック図、図５はシステム１００，１００Ａが表示する表示画面の一例を示す図、図６は出力制御装置２，３Ａが実行する動画出力制御処理の流れを示すフローチャートである。
【００３０】
〔２−１．構成例１〕
上記構成例１に係るシステム１００が備える出力制御装置２は、図３に示すように、制御部２１と、通信部２２と、記憶部２３と、第二記憶部２４と、を備えている。
各部２１〜２４は、バス等で電気的に接続されている。
【００３１】
制御部２１は、ＣＰＵ（Central Processing Unit）、ＲＡＭ（Random Access Memory）等により構成されている。
そして、制御部２１のＣＰＵは、記憶部２３に記憶されている各種プログラムを読出してＲＡＭ内に展開し、展開されたプログラムに従って各種処理を実行し、出力制御装置２各部の動作を集中制御するようになっている。
【００３２】
通信部２２は、通信モジュール等で構成されている。
そして、通信部２２は、通信ネットワークＮ（ＬＡＮ（Local Area Network）、ＷＡＮ（Wide Area Network）、インターネット等）を介して接続された他の装置（モダリティー１等）との間で各種信号や各種データを送受信するようになっている。
【００３３】
記憶部２３は、不揮発性の半動態メモリーやハードディスク等により構成されている。
また、記憶部２３は、制御部２１が実行する各種プログラム（後述する動画出力制御処理を含む）やプログラムの実行に必要なパラメーター等を記憶している。
【００３４】
第二記憶部２４は、不揮発性の半動態メモリーやハードディスク等により構成されている。
第二記憶部２４は、複数の画像データを格納している。
本実施形態に係る第二記憶部２４は、複数の画像データをデータベースの形で格納している。
なお、第二記憶部２４は、記憶部２３と一体になっていてもよい。
【００３５】
〔２−２．構成例２〕
上記構成例２に係るシステム１００Ａが備える出力制御装置３Ａは、図４に示すように、制御部３１と、通信部３２と、記憶部３３と、表示部３４と、操作部３５と、を備えている。
【００３６】
制御部３１、通信部３２及び記憶部３３は、上記出力制御装置２の制御部２１、通信部２２及び記憶部２３と同様に構成されている。
【００３７】
表示部３４は、上記構成例１に係るシステム１００が備えるモニター３と同様に構成されている。
【００３８】
操作部３５は、上記構成例１に係るシステム１００が備える入力装置４と同様に構成されている。
【００３９】
〔２−３．動作〕
このように構成された出力制御装置２の制御部２１（出力制御装置３Ａの制御部３１）は、以下のような機能を有している。
【００４０】
（画像取得機能）
例えば、制御部２１（制御部３１）は、モダリティー１から一又は複数の画像データを取得する機能を有している。
医用画像が静止画の場合、制御部２１（制御部３１）は、一の画像データを取得する。
一方、医用画像が動画の場合、制御部２１（制御部３１）は、複数の医用画像を取得する。すなわち、医用画像が動画の場合、複数の医用画像は、動画を構成する複数のフレーム画像となる。
本実施形態に係る制御部２１（制御部３１）は、画像データを、通信部２２（通信部３２）を介してモダリティー１（ＰＡＣＳ２Ａ）から受信する。
なお、出力制御装置２，３Ａが図示しない記憶媒体の読取部を備えている場合、制御部２１（制御部３１）は、通信部２２を介さずに、記憶媒体から画像データを読み込むようになっていてもよい。
制御部２１（制御部３１）は、このような画像取得機能を有することにより取得手段をなす。
【００４１】
（各種画面表示機能）
また、制御部２１（制御部３１）は、各種画面をモニター３（表示部３４）に表示させる機能を有している。
各種画面には、検査リスト画面の他、例えば図５に示すようなビューアー画面Ｓ等が含まれる。
【００４２】
検査リスト画面は、医師が診断を行う際に過去に行われた撮影（少なくとも一回以上）を伴う検査を選択するための画面である。
本実施形態に係る検査リスト画面は、例えば、出力制御装置２，３Ａの電源がオンにされたこと、アプリケーションが起動されたこと、入力装置４（操作部３５）に所定操作がなされたこと等を契機として表示される。
本実施形態に係る検査リスト画面には、過去に行われた検査を示す情報（例えば、検査名、検査日時等）の一覧が表示される。各検査には、少なくとも一つの医用画像が対応付けられている。
【００４３】
ビューアー画面Ｓは、医師が診断を行う際に医用画像Ｉを読影するための画面である。
本実施形態に係るビューアー画面Ｓは、検査リスト画面において表示された検査を示す情報の一覧の中から何れかの検査を示す情報に所定操作（クリックやタッチ）がなされると表示される。
本実施形態に係るビューアー画面Ｓは、図５に示したように、操作ボタン表示領域Ｒ1と、検査情報表示領域Ｒ2と、画像表示領域Ｒ3と、解析結果表示領域Ｒ4と、を有している。
【００４４】
操作ボタン表示領域Ｒ1には、各種操作（表示画面の切り替え、画像表示領域Ｒ3への医用画像の表示のさせ方等）を指示するための操作ボタンが表示される。この操作ボタンに所定操作（クリックやタッチ）がなされると、制御部２１（制御部３１）は、対応する表示切替を行うようになっている。
検査情報表示領域Ｒ2には、検査（撮影）を行った日時、撮影部位、撮影方向等が表示される。
画像表示領域Ｒ3には、モダリティー１（ＰＡＣＳ２Ａ）から受信した画像信号（画像データ）に応じた医用画像Ｉ（動画又は静止画）が表示される。
解析結果表示領域Ｒ4には、画像表示領域Ｒ3に表示されている医用画像Ｉの各種解析結果が表示される。
【００４５】
（情報付帯機能）
また、制御部２１（制御部３１）は、複数の医用画像Ｉの少なくともいずれかに付帯情報を付帯させる機能を有している。
具体的には、画像表示領域Ｒ3に表示されている医用画像Ｉにおける、ユーザーが所望する（気になっている）領域に対し、ユーザーによって所定操作（カーソルを位置させてクリックする、指でタッチする等）がなされると、制御部２１（制御部３１）は、その領域が医師にとっての関心領域（ＲＯＩ）である旨の付帯情報を医用画像Ｉに付帯される。
制御部２１及び入力装置４（制御部３１及び操作部３５）は、このような情報付帯機能を有することにより入力手段をなす。
【００４６】
（付帯情報表示機能）
また、制御部２１（制御部３１）は、画像表示領域Ｒ3に、付帯情報の少なくとも一部を表示することが可能となっている。
本実施形態に係る制御部２１（制御部３１）は、付帯情報を、画像表示領域Ｒ3に表示させるようになっている。
また、本実施形態に係る制御部２１（制御部３１）は、付帯情報を、例えば、オーバレイ、又はアノテーションの形で表示するようになっている。
【００４７】
オーバレイＯは、付帯情報のうち、ＤＩＣＯＭファイルのヘッダー部に書き込まれた情報を示す文字列である。
本実施形態に係るオーバレイＯは、診断対象部位が写った領域とできるだけ重ならない領域（例えば医用画像Ｉの四隅）に表示される。
医用画像Ｉが動画である場合、本実施形態に係るオーバレイＯは、動画を構成する全フレーム画像に表示される。すなわち、動画を再生すると、オーバレイＯは、再生開始から終了まで画像表示領域Ｒ3に表示され続ける。
【００４８】
アノテーションは、付帯情報のうち、例えば医用画像Ｉの特徴を指し示す図形等である。
本実施形態に係るアノテーションには、モダリティー１が自動的に付帯情報を付帯させることにより描画される自動描画アノテーションＡ1と、ユーザーが手動で付帯情報を付帯させることにより描画される手動描画アノテーションＡ2と、が含まれる。
【００４９】
自動描画アノテーションＡ1には、例えば診断対象部位の動作を追跡するもの（例えば、肺野の上端及び下端の位置を示す線等）が含まれる。
医用画像Ｉが動画である場合、制御部２１（制御部３１）は、自動描画アノテーションＡ1を、動画を構成する全てのフレーム画像に表示させる。すなわち、動画が再生されると、自動描画アノテーションＡ1は、動画再生を開始してから終了するまで画像表示領域Ｒ3に表示され続ける。
また、動作を再生している間、制御部２１（制御部３１）は、診断対象部位の動作に追従して自動描画アノテーションＡ1の位置を変化させる（図７参照）。
【００５０】
手動描画アノテーションＡ2は、ユーザーが選択した領域、すなわちユーザーの関心が高い領域の目印となるもの（例えば、病変が疑われる部位が写った領域を指し示す矢印等）が含まれる。
医用画像Ｉが動画である場合、制御部２１（制御部３１）は、手動描画アノテーションＡ2を、ユーザーが付帯情報を付帯させるための所定操作を行った時に画像表示領域Ｒ3に表示されていたフレーム画像にのみ表示させる。
一方、医用画像Ｉが静止画である場合、又は単独の医用画像Ｉ（フレーム画像）を静止画として出力する場合、制御部２１（制御部３１）は、当該単独の医用画像Ｉに付帯された付帯情報を静止画に表示させる。
【００５１】
（情報選択機能）
また、制御部２１（制御部３１）は、上記情報付帯機能（入力手段）によって医用画像Ｉに付帯された付帯情報の中から、任意の付帯情報を選択する機能を有している。
本実施形態に係る制御部２１（制御部３１）は、ユーザーによってなされた所定操作に対応する（例えば、チェック印が付された）付帯情報を選択するようになっている。
制御部２１及び入力装置４（制御部３１及び操作部３５）は、このような情報選択機能を有することにより選択手段をなす。
【００５２】
（動画出力機能）
また、制御部２１（制御部３１）は、所定条件が成立したことを契機として、図６に示すような動画出力制御処理を実行する機能を有している。
この「所定条件」には、例えば、上記ビューアー画面を表示している状態で動画の再生指示がなされたこと、検査リスト画面において、動画撮影を伴う検査が選択されたこと等が含まれる。
【００５３】
この動画出力制御処理で、制御部２１（制御部３１）は、まず、第一判断処理を実行する（ステップＳ１）。
この第一判断処理で、制御部２１（制御部３１）は、出力しようとする動画が解析画像であるか否かを判断する。
解析画像であるか否かについては、従来用いられてきた各種技術を用いることができる。例えば、画像データに付されている画像解析装置を示すステーション名、ＡＥタイトル等に基づいて判断する。
【００５４】
この第一判断処理で、動画が解析画像ではないと判断した場合（ステップＳ１：Ｎｏ）、制御部２１（制御部３１）は、出力処理を実行して（ステップＳ４）、動画出力制御処理を終了する。
【００５５】
一方、第一判断処理で、動画が解析画像であると判断した場合（ステップＳ１：Ｙｅｓ）、制御部２１（制御部３１）は、第二判断処理を実行する（ステップＳ２）
この第二判断処理で、制御部２１（制御部３１）は、出力しようとする動画（複数の医用画像Ｉ）に付帯された付帯情報のうち、非表示とする対象となる付帯情報が存在するか否かを判断する。
この「（付帯情報を）非表示とする」とは、付帯情報を動画の画像データの中には残したまま動画を表示する際に付帯情報（オーバレイＯ、アノテーションＡ1，Ａ2）を非表示にする（動画と一緒に表示しない）ことを指してもよいし、付帯情報を動画の画像データの中から削除することで動画を表示する際に付帯情報（オーバレイＯ、アノテーションＡ1，Ａ2）を非表示にする（動画と一緒に表示しない）ことを指してもよい。
【００５６】
医用画像に付帯される付帯情報は、診断上重要な役割を果たすものであることが多い。このため、付帯情報を削除してしまうと、診断を行う際に付帯情報が表示されなくなり、医師が適切な診断を行うことが困難になってしまう可能性がある。つまり、付帯情報は、基本的に、削除することなく残し続けることが望ましい情報である。
付帯情報を動画の画像データの中に残したまま動画を表示する際に付帯情報を非表示とすることで、動画を構成する医用画像に付帯された付帯情報を削除していなくても、動画を再生したときに付帯情報がちらつかないようにすることができる。
【００５７】
非表示とする対象となる付帯情報には、以下のうちの少なくともいずれかが含まれる。
・一部のフレーム画像に付帯された付帯情報
・連続するフレーム画像であり、付帯情報が付与されたフレームの連続数が５以下のフレーム画像に付帯された付帯情報
・入力手段によって付帯された付帯情報
・選択手段が選択した付帯情報
【００５８】
なお、上述したように、本実施形態に係るモダリティー１が動画に付帯させる付帯情報は、動画を構成する全てのフレーム画像に付帯されることになる。すなわち、本実施形態においては、一部のフレーム画像に付帯された付帯情報は、入力手段によって付帯された付帯情報となる。
また、付帯情報が付与されたフレームの連続するフレーム画像の数に基づいて非表示とする対象となる付帯情報の有無を判断する場合、フレーム画像の連続数は１０以下であることが好ましい。
【００５９】
上記第二判断処理で、動画に非表示とする対象となる付帯情報が存在しないと判断した場合、制御部２１（制御部３１）は、出力処理を実行して（ステップＳ４）、動画出力制御処理を終了する。
【００６０】
一方、第二判断処理で、動画に非表示とする対象となる付帯情報が存在すると判断した場合、制御部２１（制御部３１）は、非表示処理を実行する（ステップＳ３）。
この非表示処理で、制御部２１（制御部３１）は、複数の医用画像Ｉに付帯された付帯情報のうち、非表示とする対象となる付帯情報を非表示とする。
具体的には、付帯情報を動画の画像データの中には残したまま、後述する出力処理を実行中（画像信号や動画ファイルを生成するとき）に付帯情報を動画と一緒に表示しない制御を行ったり、出力処理の実行前に画像データに付帯情報を動画と一緒に表示しないようにする設定を行ったりする。
【００６１】
付帯情報を非表示としている間又は非表示とした後、制御部２１（制御部３１）は、出力処理を実行する（ステップＳ４）。
構成例１に係る出力制御装置２の場合、制御部２１は、この出力処理で、動画を再生するための画像信号をモニター３へ送信する。画像信号を受信したモニター３は、動画を表示する。
一方、構成例２に係る出力制御装置３Ａの場合、制御部３１は、当該医用画像Ｉに付帯された付帯情報が非表示とされた動画を表示部３４に表示させる。
【００６２】
制御部２１（制御部３１）は、以上説明してきた動画出力制御処理を実行することにより制御手段をなす。そして、制御部２１（制御部３１）は、図７に示すように、一部に付帯情報（ここでは手動描画アノテーションＡ2を表示させるもの）が付帯された複数の医用画像Ｉに基づく動画を表示する際に、当該医用画像Ｉに付帯された付帯情報の手動描画アノテーションＡ2を非表示とする。
【００６３】
なお、動画の送信元が解析画像しか送信してこないことが明らかである場合、制御部２１（制御部３１）は、動画出量処理において、第一判断処理を実行せず、第二判断処理から開始するようになっていてもよい。
また、制御部２１（制御部３１）は、出力処理において、医用画像Ｉに付帯された付帯情報が非表示とされた動画ファイル（例えば、ＭＰＥＧ４形式の汎用ファイル等）を生成して他の装置へ送信するようになっていてもよい。
また、制御部２１（制御部３１）は、非表示処理において、付帯情報を非表示とする設定（フラグを立てる等）を行った後、付帯情報が非表示とされた画像データを、動画の表示制御を行ったり動画ファイルを生成したりする他の装置へ送信するようになっていてもよい。
【００６４】
＜３．効果＞
以上説明してきた出力制御装置２，３Ａ、及びこの出力制御装置２，３Ａを備えるシステム１００，１００Ａは、複数の医用画像Ｉ（フレーム画像）に基づく動画を表示する際に、当該医用画像Ｉに付帯された付帯情報を非表示とする（動画の画像データの中には残したまま動画を表示する際に付帯情報を動画と一緒に表示しない）。
このため、出力制御装置２，３Ａ、及びこの出力制御装置２，３Ａを備えるシステム１００，１００Ａによれば、動画を再生したときに付帯情報がちらつかないようにすることができる。
【００６５】
また、出力制御装置２，３Ａ、及びシステム１００，１００Ａは、上記非表示処理において、一部のフレーム画像に付帯された付帯情報（本実施形態においては、入力手段によって付帯された付帯情報と同じ）を非表示とすることで、動画を再生する際に、アノテーションのちらつきを防ぐことができる。
【００６６】
また、ユーザーが手動で付帯させた付帯情報のうち、例えば、ＲＯＩを指し示すアノテーションは非表示としたいが、肺機能（血流機能や、換気機能のこと。より具体的には、血流、又は肺の流れ）を示すアノテーションは表示を残しておきたいという要望が医師等から出ることがある。
そこで、出力制御装置２，３Ａ、及びシステム１００，１００Ａは、上記非表示処理において、入力手段によって入力された付帯情報のうち、選択手段が選択した付帯情報を非表示とすることで、そのようなユーザーのニーズに応えることが可能となる。
【００６７】
また、出力制御装置２，３Ａ、及びシステム１００，１００Ａは、上記非表示処理において、付帯情報が付帯された単独の医用画像Ｉを含む複数の医用画像Ｉを動画として出力する場合には、付帯情報を非表示とすることで、動態画像を再生する際に、診断上重要な付帯情報（アノテーション）を維持させつつ、アノテーションの情報のちらつきを防ぐことができる。
【００６８】
また、医用画像Ｉに付帯された付帯情報のうち、モダリティー１が付帯させた付帯情報（例えば、画像処理（ＢＳ（Bone Suppression）処理やＴＳ（Temporal Subtraction）処理を行ったことを示すアノテーション）は表示を残しておきたいという要望が医師等から出ることがある。
そこで、出力制御装置２，３Ａ、及びシステム１００，１００Ａは、上記非表示処理において、全ての医用画像に共通して付帯された付帯情報（本実施形態においては、複数のモダリティー１が付帯させた付帯情報）を非表示としないことで、付帯情報のうち、ちらつきの原因となる付帯情報は非表示としつつ、表示するべき重要な付帯情報は表示をのこしておくことが可能となる。
【００６９】
＜４．その他＞
なお、本発明は上記の実施形態等に限定されるものではなく、本発明の趣旨を逸脱しない範囲で適宜変更可能であることは言うまでもない。
【００７０】
例えば、上記システム１００，１００Ａは、複数の医用画像Ｉを動画として出力するものであったが、複数枚の連続する断層写真を連続表示する際にも用いることができる。
また上記の説明では、付帯情報を非表示にする例として、付帯情報を動画の画像データの中には残したまま、出力処理を実行中に付帯情報を動画と一緒に表示しない制御を行ったり、出力処理の実行前に画像データに付帯情報を動画と一緒に表示しないようにする設定を行ったりする例を開示したが、付帯情報を動画の画像データの中から削除することで動画を表示する際に付帯情報を非表示にすることとしてもよい。
【００７１】
また、上記の説明では、本発明に係るプログラムのコンピューター読み取り可能な媒体としてハードディスクや半導体の不揮発性メモリー等を使用した例を開示したが、この例に限定されない。その他のコンピューター読み取り可能な媒体として、ＣＤ−ＲＯＭ等の可搬型記録媒体を適用することが可能である。また、本発明に係るプログラムのデータを通信回線を介して提供する媒体として、キャリアウエーブ（搬送波）も適用される。
【符号の説明】
【００７２】
１００  医用画像表示システム
１  モダリティー
２  医用画像出力制御装置
２１  制御部
２２  通信部
２３  記憶部
２４  第二記憶部
３  モニター
４  入力装置
１００Ａ  医用画像表示システム
２Ａ  画像保存通信システム
３Ａ  医用画像出力制御装置
３１  制御部
３２  通信部
３３  記憶部
３４  表示部
３５  操作部
Ａ1  自動描画アノテーション
Ａ2  手動描画アノテーション
Ｉ  医用画像
Ｎ  通信ネットワーク
Ｏ  オーバレイ
Ｓ  ビューアー画面
Ｒ1  操作ボタン表示領域
Ｒ2  検査情報表示領域
Ｒ3  画像表示領域
Ｒ4  解析結果表示領域
【要約】
【課題】動画を再生したときに付帯情報がちらつかないようにする。
【解決手段】医用画像表示システム１００が備える医用画像出力制御装置２、又は医用画像表示システム１００Ａが備える医用画像出力制御装置３Ａは、複数の医用画像を出力（送信、表示）するものであって、複数の医用画像（動画を構成する複数のフレーム画像）に基づく動画が表示される際に、当該医用画像（一部（連続数が１０以下）のフレーム画像、入力手段によって付帯された付帯情報、選択手段が選択した付帯情報）に付帯された付帯情報を非表示とする（動画を表示する際に付帯情報を動画と一緒に表示しない）制御手段２１，３１を備える。
【選択図】図７【図１】
0006870763.tif 000002
【図２】
0006870763.tif 000003
【図３】
0006870763.tif 000004
【図４】
0006870763.tif 000005
【図５】
0006870763.tif 000006
【図６】
0006870763.tif 000007
【図７】
0006870763.tif 000008